(57)【要約】【課題】音声通信を通じて連絡をとろうとする際、利用者は、複数の電話番号にかけなければ相手につながらない場合があり、複数の番号をダイヤルするのは時間がかかる。【解決手段】本発明によると、呼び出し元が頻繁に電話をかける相手の複数のアドレスを、ＶｏＩＰネットワークサービスプロバイダなどのパケット交換網サービスプロバイダに登録し、呼び出し先が応答するまで、もしくは発信可能な電話番号のリストが空になるまで、ＩＰ／ＭＰＬＳ基幹ネットワーク１１０が呼び出し元の代わりにそれらの番号をダイヤルすることができる。さらに、ＩＰ／ＭＰＬＳ基幹ネットワーク１１０が、発信可能電話番号リストにある呼び出し先の特定の電話番号へダイヤルすべきか否かを呼び出しごとに呼び出し元へ確認し、選択された電話番号をダイヤルするようにすることもできる。【選択図】図１
2006191611.tif 000002
【特許請求の範囲】
【請求項１】
通信網において複数の電話番号を登録する方法において、
呼び出し元から呼び出し先へのコールに対するコール設定メッセージを受け取る工程と、
前記呼び出し先に電話番号優先順序が関連付けられているか判別する工程と、
前記呼び出し先に前記電話番号優先順序が関連付けられている場合は、前記電話番号優先順序に従って前記コール設定メッセージを処理する工程と、を有する方法。
【請求項２】
請求項１に記載の方法において、前記通信網はボイスオーバーインターネットプロトコル（ＶｏＩＰ）ネットワークであることを特徴とする方法。
【請求項３】
請求項１に記載の方法において、前記処理する工程は、前記呼び出し先へ電話をかける際に前記電話番号優先順序を使用する工程を有する方法。
【請求項４】
請求項３に記載の方法において、さらに、
少なくとも１つの呼び出し先について前記電話番号優先順序を登録する工程と、
前記電話番号優先順序の各電話番号を使用する時間帯の優先度および曜日の優先度を登録する工程と、を有する方法。
【請求項５】
請求項３に記載の方法において、前記使用する工程は、前記時間帯の優先度および曜日の優先度のうちの少なくとも一方に基づく前記電話番号優先順序を使用して、前記呼び出し先が応答するまでもしくは前記電話番号優先順序の電話番号がなくなるまで前記呼び出し先へ電話をかける方法。
【請求項６】
請求項３に記載の方法において、さらに、
前記電話番号優先順序に基づいて前記呼び出し元へダイヤル選択肢を提示し、
前記電話番号優先順序から選ばれた選択電話番号を受け取り、
前記選択電話番号へ電話をかける方法。
【請求項７】
請求項６に記載の方法において、前記ダイヤル選択肢を提示し、選択電話番号を受け取り、電話をかける工程は、前記呼び出し先が応答するまでもしくは前記電話番号優先順序の電話番号がなくなるまで繰り返される方法。
【請求項８】
通信網において複数の電話番号を登録する方法をプロセッサに実行させるための命令を含むプログラムを記録したコンピュータ読み取り可能な記録媒体において、前記方法は、
呼び出し元から呼び出し先へのコールに対するコール設定メッセージを受け取るステップと、
前記呼び出し先に電話番号優先順序が関連付けられているか判別するステップと、
前記呼び出し先に前記電話番号優先順序が関連付けられている場合は、前記電話番号優先順序に従って前記コール設定メッセージを処理するステップと、を有するプログラムを記録したコンピュータ読み取り可能な記録媒体。
【請求項９】
請求項８に記載のプログラムを記録したコンピュータ読み取り可能な記録媒体において、前記通信網はボイスオーバーインターネットプロトコル（ＶｏＩＰ）ネットワークであることを特徴とするプログラムを記録したコンピュータ読み取り可能な記録媒体。
【請求項１０】
請求項８に記載のプログラムを記録したコンピュータ読み取り可能な記録媒体において、前記処理するステップは、前記呼び出し先へ電話をかける際に前記電話番号優先順序を使用するステップを有するプログラムを記録したコンピュータ読み取り可能な記録媒体。
【請求項１１】
請求項１０に記載のプログラムを記録したコンピュータ読み取り可能な記録媒体において、さらに、
少なくとも１つの呼び出し先について前記電話番号優先順序を登録するステップと、
前記電話番号優先順序の各電話番号を使用する時間帯の優先度および曜日の優先度を登録するステップと、を有するプログラムを記録したコンピュータ読み取り可能な記録媒体。
【請求項１２】
請求項１０に記載のプログラムを記録したコンピュータ読み取り可能な記録媒体において、
前記使用するステップは、前記時間帯の優先度および曜日の優先度のうちの少なくとも一方に基づく前記電話番号優先順序を使用して、前記呼び出し先が応答するまでもしくは前記電話番号優先順序の電話番号がなくなるまで前記呼び出し先へ電話をかけるプログラムを記録したコンピュータ読み取り可能な記録媒体。
【請求項１３】
請求項１０に記載のプログラムを記録したコンピュータ読み取り可能な記録媒体において、さらに、
前記電話番号優先順序に基づいて前記呼び出し元へダイヤル選択肢を提示し、
前記電話番号優先順序から選ばれた選択電話番号を受け取り、
前記選択電話番号へ電話をかけるプログラムを記録したコンピュータ読み取り可能な記録媒体。
【請求項１４】
請求項１３に記載のプログラムを記録したコンピュータ読み取り可能な記録媒体において、
前記ダイヤル選択肢を提示し、選択電話番号を受け取り、電話をかけるステップは、前記呼び出し先が応答するまでもしくは前記電話番号優先順序の電話番号がなくなるまで繰り返されるプログラムを記録したコンピュータ読み取り可能な記録媒体。
【請求項１５】
通信網において複数の電話番号を登録するシステムにおいて、
呼び出し元から呼び出し先へのコールに対するコール設定メッセージを受け取る手段と、
前記呼び出し先に電話番号優先順序が関連付けられているか判別する手段と、
前記呼び出し先に前記電話番号優先順序が関連付けられている場合は、前記電話番号優先順序に従って前記コール設定メッセージを処理する手段と、を有するシステム。
【請求項１６】
請求項１５に記載のシステムにおいて、前記通信網はボイスオーバーインターネットプロトコル（ＶｏＩＰ）ネットワークであることを特徴とするシステム。
【請求項１７】
請求項１５に記載のシステムにおいて、前記処理する手段は、前記呼び出し先へ電話をかける際に前記電話番号優先順序を使用する手段を有するシステム。
【請求項１８】
請求項１７に記載のシステムにおいて、さらに、
少なくとも１つの呼び出し先について前記電話番号優先順序を登録する手段と、
前記電話番号優先順序の各電話番号を使用する時間帯の優先度および曜日の優先度を登録する手段と、を有するシステム。
【請求項１９】
請求項１７に記載のシステムにおいて、前記使用する手段は、前記時間帯の優先度および曜日の優先度のうちの少なくとも一方に基づく前記電話番号優先順序を使用して、前記呼び出し先が応答するまでもしくは前記電話番号優先順序の電話番号がなくなるまで前記呼び出し先へ電話をかける手段を有するシステム。
【請求項２０】
請求項１７に記載のシステムにおいて、さらに、
前記電話番号優先順序に基づいて前記呼び出し元へダイヤル選択肢を提示する手段と、
前記電話番号優先順序から選ばれた選択電話番号を受け取る手段と、
前記選択電話番号へ電話をかける手段と、を有するシステム。
【発明の詳細な説明】
【技術分野】
【０００１】
本発明は一般的に通信ネットワークに関し、特に、パケット交換網、例えばボイスオーバーインターネットプロトコル（以下、ＶｏＩＰ）ネットワークにおいて、加入者が頻繁に電話をかける相手の複数の電話番号を登録する方法および装置に関する。
【背景技術】
【０００２】
音声通信を通じて連絡をとろうとする際、複数の電話番号にかけなければ相手につながらない場合がある。例えば、相手は職場にいるときもあれば、別荘やホームオフィス、携帯電話の近く、もしくは自宅にいるときもある。これら複数の番号をダイヤルするのは時間がかかり、また相手の居場所がすぐに見つからない場合はフラストレーションとなりうる。
【０００３】
そのため、パケット交換網、例えばＶｏＩＰネットワークにおいて、加入者が頻繁に電話をかける相手の複数の電話番号を登録する方法および装置が必要とされている。
【発明の開示】
【課題を解決するための手段】
【０００４】
本発明の実施の形態によると、呼び出し元が頻繁に電話をかける相手の複数のアドレスをパケット交換網サービスプロバイダ、例えばＶｏＩＰネットワークサービスプロバイダに登録し、呼び出し先が応答するまで、もしくは発信可能な電話番号のリストが空になるまで、ネットワークが呼び出し元の代わりにそれらの番号をダイヤルすることができる。加入者は、電話をかける日時に関するサービスロジックおよびそれに対応する電話発信の優先順序を指定することができる。
【０００５】
さらに、ネットワークは、各呼び出しごとに、発信可能な電話番号のリストにある呼び出し先の特定の電話番号へダイヤルすべきか否かを呼び出し元へ確認し、これにより加入者が選択した電話番号をダイヤルするようにすることもできる。この場合、選択した電話番号をダイヤルしても呼び出し先が応答しないときは、ネットワークは呼び出し元へ残りの発信可能な電話番号のリストを提示し、加入者がその中から任意の電話番号を選べるようにする。そして、ネットワークは新しく選択された電話番号をダイヤルする。このプロセスが、呼び出し先に連絡がとれるまで、もしくは発信可能電話番号リストが空になるまで繰り返される。
【発明を実施するための最良の形態】
【０００６】
以下、添付図面を参照して本発明の好適な実施形態を詳細に説明する。なお、理解を容易にするために、可能な場合は、図面間で共通な同一の要素には同一の符号を付す。
【０００７】
本発明の理解を助けるために、図１に本発明に係るネットワークの一例である、ＶｏＩＰネットワークのようなパケット交換網を示す。ＶｏＩＰネットワークは、インターネットプロトコル／マルチプロトコルラベルスイッチング（ＩＰ／ＭＰＬＳ）をベースとした基幹回線網を通じて、各種アクセスネットワークを介してキャリア（サービスプロバイダ）のＶｏＩＰコアインフラストラクチャに接続された、各種のカスタマエンドポイント装置からなる。広義においては、ＶｏＩＰネットワークとは、ＩＰネットワークを通じて音声信号をパケットデータとして伝送することができるネットワークである。ＩＰネットワークは、広義においては、インターネットプロトコルを使用してデータパケット交換を行うネットワークである。
【０００８】
カスタマエンドポイント装置は、時分割多重化（ＴＤＭ）方式もしくはＩＰ方式をベースとしたものである。ＴＤＭ方式のカスタマエンドポイント装置１２２，１２３，１３４，１３５は、一般的にＴＤＭ電話や構内交換電話（ＰＢＸ）である。一方、ＩＰ方式のカスタマエンドポイント装置１４４、１４５は、一般的にＩＰ電話やＰＢＸである。ターミナルアダプタ（ＴＡ）１３２、１３３は、アナログ電話などのＴＤＭ方式カスタマエンドポイント装置間接続に必要なインターワーキング機能、およびデジタル加入者線（ＤＳＬ）や有線ブロードバンドアクセスネットワークなどのパケット方式アクセスネットワーク技術を提供するために使われる。ＴＤＭ方式のカスタマエンドポイント装置は、公衆交換電話網（ＰＳＴＮ）１２０、１２１あるいはＴＡ１３２、１３３経由のブロードバンドアクセスネットワークによってＶｏＩＰサービスにアクセスする。一方、ＩＰ方式のカスタマエンドポイント装置は、ＶｏＩＰゲートウェイまたはルータ１４２，１４３を有するローカルエリアネットワーク（ＬＡＮ）１４０、１４１によってＶｏＩＰサービスにアクセスする。
【０００９】
アクセスネットワーク（ＤＳＬ／ケーブルネットワーク１３０、１３１）は、ＴＤＭ方式またはパケット方式である。ＴＤＭ／ＰＳＴＮ１２０、１２１は、従来の電話回線を介して接続されたＴＤＭ方式のカスタマエンドポイント装置をサポートする。一方、フレームリレー、ＡＴＭ、イーサネット（登録商標）、ＩＰなどのパケット方式のアクセスネットワークは、例えばＶｏＩＰゲートウェイ／ルータ１４２を有するＬＡＮ１４０などのカスタマＬＡＮを経由して、ＩＰ方式のカスタマエンドポイント装置をサポートする。ＤＳＬやケーブルなどのパケット方式のＤＳＬ／ケーブルネットワーク１３０、１３１は、ＴＡ１３２、１３３とともに用いられる場合、ＴＤＭ方式のカスタマエンドポイント装置をサポートする。
【００１０】
ＶｏＩＰコアインフラストラクチャは、ボーダ要素（ＢＥ）１１２、１１３、呼制御要素（ＣＣＥ）１１１、ＶｏＩＰ関連サーバ１１４など、いくつかの主要なＶｏＩＰ構成要素からなる。ＢＥはＶｏＩＰコアインフラストラクチャの端に備えられ、各種のアクセスネットワークを通じてカスタマエンドポイントと接続する。ＢＥは一般的にメディアゲートウェイとして構成され、信号発信、メディア制御、セキュリティ、呼受け入れ制御、および他の関連機能を行う。ＣＣＥはＶｏＩＰインフラストラクチャ内に備えられ、基礎を構成するＩＰ／ＭＰＬＳ方式の基幹ネットワーク１１０を通じて、セッション開始プロトコル（ＳＩＰ）によってＢＥに接続されている。ＣＣＥは、一般的にメディアゲートウェイコントローラとして構成され、必要に応じて適切なＶｏＩＰサービス関連サーバと協働しながら、ネットワーク全体の呼制御関連機能を行う。ＣＣＥはＳＩＰバックツーバック（ｂａｃｋ−ｔｏ−ｂａｃｋ）ユーザエージェントとして機能し、全ＢＥおよびＣＣＥ間の全コールレグ（ａｌｌ  ｃａｌｌ  ｌｅｇｓ）のシグナリングエンドポイントとなる。ＣＣＥは、Ｅ．１６４音声ネットワークアドレスをＩＰアドレスへ転換するなどのある特定のサービス用の機能を要するコールを完了するために、各種のＶｏＩＰ関連サーバと協働する場合がある。
【００１１】
コールが異なるキャリアにおいて開始、終了する場合は、ＰＳＴＮ１２０および１２１もしくはパートナーＩＰキャリア１６０の相互接続によって処理できる。ＴＤＭコールの開始または終了は、他方のキャリアとの既存のＰＳＴＮ相互接続によって処理できる。ＶｏＩＰコールの開始または終了は、他方のキャリアとのパートナーＩＰキャリアインタフェース１６０によって処理できる。
【００１２】
各構成要素がどのようにＶｏＩＰコールをサポートするかを説明するため、以下のコールシナリオによって、ＶｏＩＰコールが２つのカスタマエンドポイント間において設定される方法を例証する。まず、ロケーションＡにおいてＩＰ装置１４４を使用するカスタマが、ロケーションＺにおいてＴＤＭ装置１３５を使用する他のカスタマへ電話をかける。コールを設定する間、設定信号メッセージが、ＩＰ装置１４４からＬＡＮ１４０、ＶｏＩＰゲートウェイ／ルータ１４２および対応するパケット方式アクセスネットワークを通じてＢＥ１１２へ送られる。そして、ＢＥ１１２は、例えばＳＩＰを使用している場合は、ＳＩＰ−ＩＮＶＩＴＥメッセージのような設定信号メッセージをＣＣＥ１１１へ送る。ＣＣＥ１１１は、呼び出し先に関する情報を参照し、必要なＶｏＩＰサービス関連サーバ１１４へ、このコールを完了するための情報を取得するよう問い合わせをする。このコールの完了にＢＥ１１３が関与する必要がある場合、ＣＣＥ１１１は、ＳＩＰ使用時であればＳＩＰ−ＩＮＶＩＴＥメッセージのような他のコール設定メッセージをＢＥ１１３へ送る。ＢＥ１１３は、このコール設定メッセージを受けとると、ブロードバンドネットワーク１３１を通してＴＡ１３３へ転送する。そして、ＴＡ１３３は適切なＴＤＭ装置１３５を特定し、この装置を鳴らす。このコールに対しロケーションＺにおける呼び出し先が応じた場合、ＳＩＰ使用時であればＳＩＰ−ＡＣＫメッセージのようなコール認知信号メッセージが、ＣＣＥ１１１へ逆方向に送信される。ＣＣＥ１１１がこのコール認知信号メッセージを受け取ると、ＳＩＰ使用時はＳＩＰ−ＡＣＫメッセージのようなコール承認信号メッセージを呼び出し元へ送信する。さらに、ＣＣＥ１１１は、このコールに関する必要な情報をＢＥ１１２とＢＥ１１３の両方へ提供し、コールデータ交換がＢＥ１１２とＢＥ１１３の間で直接進められるようにする。図１には、コール信号パス１５０とコールデータパス１５１とが図示されている。コール信号パスとコールデータパスが別々に設けられているのは、一度２つのエンドポイント間でコールが設定された後、実際に行われる直接のデータ交換においては、ＣＣＥ１１１はデータパスに関わる必要がないためである。
【００１３】
ここで、ロケーションＡのカスタマがどのような種類のエンドポイント装置とそれに対応する種類のアクセスネットワークを使用していても、またロケーションＺにおける他のカスタマがどのような種類のエンドポイント装置とそれに対応する種類のアクセスネットワークを使用していても、両者は交信可能である。例えば、ＩＰカスタマエンドポイント装置１４４およびパケット方式のアクセスネットワーク１４０を使用しているロケーションＡにおけるカスタマは、ＴＤＭエンドポイント装置１２３およびＰＳＴＮアクセスネットワーク１２１を使用しているロケーションＺにおける他のカスタマへ電話をかけることができる。ＢＥ１１２および１１３は、例えばＳＳ７およびＳＩＰ間などの信号プロトコル転換や、ＴＤＭ音声フォーマットおよびＩＰ方式パケット音声フォーマット間などのメディアフォーマット変換を担う。
【００１４】
音声通信により連絡をとろうとする際、複数の電話番号にかけなければ相手につながらない場合がある。例えば、相手は職場にいるときもあれば、別荘やホームオフィス、携帯電話の近く、もしくは自宅にいるときもある。これら複数の番号にダイヤルするのは時間がかかり、また相手の居場所がすぐに見つからない場合はフラストレーションとなりうる。
【００１５】
この問題を解決するため、本発明においては、呼び出し元が頻繁に電話をかける相手の複数のアドレスをＶｏＩＰネットワークサービスプロバイダに登録し、呼び出し先が応答するまで、もしくは発信可能な電話番号のリストが空になるまで、ネットワークが呼び出し元の代わりにそれらの番号をダイヤルする。加入者は、電話をかける日時に関するサービスロジックおよびそれに対応する電話発信の優先順序を指定することができる。
【００１６】
さらに、ネットワークは、各呼び出しごとに、発信可能な電話番号リストにある呼び出し先の特定の電話番号へダイヤルすべきか否かを呼び出し元へ確認し、これにより加入者が選択した電話番号へ電話をかけるようにすることもできる。選択した電話番号をダイヤルしても呼び出し先が応答しない場合は、ネットワークは呼び出し元へ残りの発信可能電話番号のリストを提示し、加入者がその中から任意の電話番号を選べるようにする。そして、ネットワークは新しく選択された電話番号をダイヤルする。このプロセスが、呼び出し先に連絡がとれるまで、もしくは発信可能電話番号のリストが空になるまで繰り返される。
【００１７】
図２は、例えばＶｏＩＰネットワークのようなパケット交換網におけるアプリケーションサーバに、加入者が頻繁に電話をかける相手の複数の電話番号を登録する方法を示すフローチャートである。方法２００はステップ２０５から開始し、ステップ２１０へ進む。
【００１８】
まず、ステップ２１０において、加入者が頻繁に電話をかける相手の名前のリストを入力しシステムが登録する。次に、ステップ２２０において、加入者が各呼び出し先に対応づけられた電話番号のリストを入力しシステムが登録する。さらに、ステップ２３０において、加入者の時間帯や曜日の優先度をもとに、電話番号をダイヤルする優先順序を登録する。例えば、加入者はある電話番号ダイヤル順序を月曜日から金曜日の９時から１８時まで使用し、別の電話番号ダイヤル順序を月曜日から金曜日の１８時１分から８時５９分まで使用し、さらに別の電話番号ダイヤル順序を土曜日と日曜日の終日使用するよう登録することができる。そして、ステップ２４０においては、加入者のデフォルトのダイヤリングオプションを登録する。例えば、加入者は、下記に記載するダイヤリング方法３００もしくはダイヤリング方法４００のどちらかを、頻繁に電話をかける相手へのデフォルトのダイヤリング方法として選択することができる。この方法はステップ２５０で終了する。
【００１９】
図３は、例えばＶｏＩＰネットワークのようなパケット交換網において、加入者が頻繁に電話をかける相手の複数の電話番号をダイヤルする方法を示すフローチャートである。一実施形態では、この方法はＣＣＥがＡＳ（アプリケーションサーバ）から取得したアプリケーションを使用することにより実行する。方法３００はステップ３０５から開始し、ステップ３１０へ進む。
【００２０】
ステップ３１０において、頻繁に電話をかける相手に関するこのサービスに加入している加入者からの電話を受ける。このとき、呼び出し先の電話番号が加入者によって頻繁に電話をかける相手として登録されている番号であることを、自動的に認識する。ステップ３４０においては、加入者が設定した時間帯や曜日の優先度に基づいて、ダイヤルされた呼び出し先の電話番号の優先ダイヤル順序を取得する。ステップ３５０において、優先ダイヤル順序における最初の電話番号をダイヤルする。ステップ３６０において、呼び出し先からの応答があるかどうか確認する。呼び出し先が呼に応答した場合、ステップ３９０へ進む。応答しない場合は、ステップ３７０へ進む。ステップ３７０においては、ダイヤル順序リストが空になっていないか確認する。空になっている場合は、ステップ３９０へ進む。空になっていない場合は、ステップ３８０へ進む。ステップ３８０においては、優先ダイヤル順序の次の電話番号をダイヤルし、ステップ３６０へ戻る。この方法はステップ３９０で終了する。
【００２１】
図４は、例えばＶｏＩＰネットワークのようなパケット交換網において、加入者が頻繁に電話をかける相手の複数の電話番号をダイヤルする別の方法を示すフローチャートである。一実施形態では、この方法はＣＣＥがＡＳから取得したアプリケーションを使用することにより実行する。方法４００はステップ４０５から開始し、ステップ４１０へ進む。
【００２２】
ステップ４１０において、加入者が頻繁に電話をかける相手に関するこのサービスに加入している加入者からの電話を受ける。このとき、呼び出し先の電話番号が加入者によって頻繁に電話をかける相手として登録されている番号であることを、自動的に認識する。ステップ４４０においては、加入者が設定した時間帯や曜日の優先度に基づいて、ダイヤルされた呼び出し先に対応づけられた登録電話番号のセットを取得する。ステップ４５０においては、取得した登録電話番号のセットを加入者に提示し、加入者がその中から任意の番号を選べるようにする。ステップ４６０においては、加入者によって選択された任意の電話番号をダイヤルする。ステップ４７０において、呼び出し先からの応答があるかどうか確認する。呼び出し先が呼に応答した場合、ステップ４９０へ進む。応答しない場合は、ステップ４７５へ進む。ステップ４７５においては、登録電話番号セットが空になっていないか確認する。空になっている場合は、ステップ４９０へ進む。空になっていない場合は、ステップ４８０へ進む。ステップ４８０においては、まだダイヤルしていない残りの登録電話番号を加入者に提示し、加入者はその中から任意の番号を選ぶ。その後、ステップ４６０へ戻る。この方法はステップ４９０で終了する。
【００２３】
図５は、以下に記載された機能を実行するために好適な汎用コンピュータを示すハイレベルブロック図である。図５に示すように、システム５００はプロセッサ５０２（例えば、ＣＰＵ）、メモリ５０４（例えば、ランダムアクセスメモリ（ＲＡＭ）および／または読出し専用メモリ（ＲＯＭ））、頻繁に電話をかける相手先のモジュール５０５、各種の入出力装置５０６を有する。入出力装置５０６としては、テープドライブ、フロッピー（登録商標）ドライブ、ハードディスクドライブ、コンパクトディスクドライブなどを含む（ただしこれらに限らない）記憶装置、また受信機、送信機、スピーカ、ディスプレイ、音声合成装置、出力ポート、およびキーボード、キーパッド、マウスなどのユーザ入力装置などがある。
【００２４】
本発明は、ソフトウェアおよび／またはソフトウェアとハードウェアの組み合わせで実現することができる。例えば、特定用途向け集積回路（ＡＳＩＣ）、汎用コンピュータ、またはそれに相当するハードウェアなどが使用される。一実施形態では、頻繁に電話をかける呼び出し先のモジュールまたはプロセス５０５をメモリ５０４にロードしておき、プロセッサ５０２がこれを実行することで、上で述べた機能を実現することができる。もしくは、本発明に係る頻繁に電話をかける呼び出し先のプロセス５０５（関連するデータ構造を含む）を、ＲＡＭメモリ、磁気または光学ドライブ、ディスクなどのコンピュータ読み取り可能な媒体またはキャリアに記憶することもできる。
【００２５】
以上、本発明の好適な実施形態について詳細に説明したが、以上の説明は、本発明の一つの実施形態を説明するものであって、何ら本発明を限定するものではない。したがって、本発明の範囲は上記実施形態に限定されず、以下のクレームとそれに同等なもののみによって定義される。
【図面の簡単な説明】
【００２６】
【図１】本発明に関するボイスオーバーインターネットプロトコル（ＶｏＩＰ）ネットワークの一例を示す図である。
【図２】本発明のＶｏＩＰネットワークにおいて加入者が頻繁に電話をかける相手の複数の電話番号を登録する方法を示すフローチャートである。
【図３】本発明のＶｏＩＰネットワークにおいて加入者が頻繁に電話をかける相手の複数の電話番号にダイヤルする方法を示すフローチャートである。
【図４】本発明のＶｏＩＰネットワークにおいて加入者が頻繁に電話をかける相手の複数の電話番号にダイヤルする別の方法を示すフローチャートである。
【図５】記載された機能を実行するために好適な汎用コンピュータを示すハイレベルブロック図である。
【符号の説明】
【００２７】
１００  ネットワーク、１１０  ＩＰ／ＭＰＬＳ基幹ネットワーク、１１１  コール制御要素（ＣＣＥ）、１１２，１１３  ボーダ要素（ＢＥ）、１１４  ＶｏＩＰ関連サーバ、１２０，１２１  公衆交換電話網（ＰＳＴＮ）、１２２，１２３，１３４，１３５  ＴＤＭカスタマエンドポイント装置、１３０，１３１  ＤＳＬ／ケーブルネットワーク、１３２，１３３  ターミナルアダプタ（ＴＡ）、１４０，１４１  ＬＡＮ、１４２，１４３  ゲートウェイ／ルータ、１４４，１４５  ＩＰカスタマエンドポイント装置、１５０  コール信号パス、１５１  コールデータパス、１６０  パートナーＩＰキャリア、５００  システム、５０２  プロセッサ、５０４  メモリ、５０５  モジュール、５０６  入出力装置。
【図１】
2006191611.tif 000003
【図２】
2006191611.tif 000004
【図３】
2006191611.tif 000005
【図４】
2006191611.tif 000006
【図５】
2006191611.tif 000007
【外国語明細書】
2006191611.tif 000008
2006191611.tif 000009
2006191611.tif 000010
2006191611.tif 000011
2006191611.tif 000012
2006191611.tif 000013
2006191611.tif 000014
2006191611.tif 000015
2006191611.tif 000016
2006191611.tif 000017
2006191611.tif 000018
2006191611.tif 000019
2006191611.tif 000020
2006191611.tif 000021
2006191611.tif 000022
2006191611.tif 000023
2006191611.tif 000024
2006191611.tif 000025